(57)【要約】      （修正有）【課題】外部振動或いは外部温度を検出することにより起動できる入口監視装置を提供する。【解決手段】入口扉等に配置した機体内に設けた振動検出モジュール１５が第２の殻体１１２の容置空間１１４内に設置され、且つ駆動モジュールに接続され、その中でも、該振動検出モジュール１５が一定強度の振動を検出する時に（例えばドアの叩き又は呼び鈴或いはより敏感になるように決めてもよい震動などが、ユーザーにより自ら定義できる）、該駆動モジュールを作用させ、撮像モジュールを開放することにより、映像を撮像する。且つ表示モジュールが画面を開放・表示でき、一つの給電モジュールをモジュール・パネル１４に接続することにより、電力を提供し、その中でも、該給電モジュールが一つの交流電源または一つの電池であってもよい。【選択図】図４
0003173008.tif 000002
【実用新案登録請求の範囲】
【請求項１】
入口監視装置は、一つの機体, 一つのモジュール・パネル, 一つの撮像モジュール, 一つの表示モジュール, 一つの駆動モジュール, 一つのマイクロプロセッサー, 一つの一時メモリ・モジュール, 一つのメモリカード・モジュール, 一つの入出力モジュール, 一つの振動検出モジュール,一つの給電モジュール, 一つの蓋板と一つの片体を含み、機体が一つの第1の殻体と一つの第2の殻体とを組み合わせてなる一つの殻体部を有し、その中でも、該第1の殻体の上に制御インターフェイスを一つ設け、該第2の殻体の上に少なくとも一つの容置空間,一つの組合せ部と一つの殻体スルーホールを設けてなり、モジュール・パネルが該殻体部の内に設置され、且つ映像を撮像するために用いられる一つの撮像モジュールを有し、表示モジュールが該撮像モジュールにより撮像された映像と操作インターフェイス・メニューを表示でき、駆動モジュールが該撮像モジュールと該表示モジュールに接続され、外部信号を一つ受信することにより、ひいては撮像モジュールと表示モジュールを駆動して開放でき、マイクロプロセッサーが各モジュールから伝送されたコマンドをコンパイル又は処理するために用いられ、且つ該撮像モジュールに接続され、一時メモリ・モジュールが該マイクロプロセッサーに接続され、且つ撮像モジュールにより撮像された映像を一時的に格納でき、メモリカード・モジュールが一つのメモリカードを外接でき、且つ該マイクロプロセッサーに接続され、更に該マイクロプロセッサーの作用により、該一時メモリ・モジュールの内におけるデータを該メモリカードに永遠に格納し、入出力モジュールが該マイクロプロセッサーに接続され、該表示モジュールを作用するかどうかを制御でき、振動検出モジュールが該第2の殻体の該容置空間内に設置され、且つ該駆動モジュールに接続され、その中でも、該振動検出モジュールが一定強度の振動を検出する時に、信号を一つ送信することにより該駆動モジュールを作用し、給電モジュールが該モジュール・パネルに接続することにより全体の電力を提供し、蓋板が該第2の殻体と第1の殻体とを組み合わせる相対側に組み合わせられ、且つ組合せスルーホールを一つ有し、更に片体が片体スルーホールを一つ有し、且つ該組合せスルーホーから該第2の殻体の上に設けられた該組合せ部と互いに組み合わせて接続でき、また該撮像モジュールのシーンが該殻体スルーホール,該組合せスルーホールと該片体スルーホールにて、外向きに延伸することにより、映像を有効に撮像できることを特徴とする、入口監視装置。
【請求項２】
該片体が一つの壁面のスルーホールの上に固定でき、更に該機体が壁面の他側から該組合せ部にて組み合わせられることにより、該機体が壁面の上に固定できることを特徴とする、請求項1に記載の入口監視装置。
【請求項３】
該モジュール・パネルが一つのタイマー・モジュールを更に有することにより、該表示モジュールが作用し且つ無人操作で一定の時間になると、表示モジュールを自動的に閉鎖できることを特徴とする、請求項1に記載の入口監視装置。
【請求項４】
該モジュール・パネルが、一つの音声モジュールを更に有し、録音および音声再生の機能を有することを特徴とする、請求項1に記載の入口監視装置。
【請求項５】
該表示モジュールが、該制御インターフェイスと結合してタッチコントロール式表示インターフェイスとなることを特徴とする、請求項1に記載の入口監視装置。
【請求項６】
該メモリカードが、下記の組合せ：SMCメモリカード，CFメモリカード，xDメモリカード，MMCメモリカード，RS-MMCメモリカード，SDメモリカード，MSメモリカード，MS Duoメモリカード，Mini SDメモリカードとMicro SDメモリカードの何れかであってもよいことを特徴とする、請求項1に記載の入口監視装置。
【請求項７】
該振動検出モジュールにより検出された振動ソースが、呼び鈴および扉を叩く時に生成された振動であってもよいことを特徴とする、請求項1に記載の入口監視装置。
【請求項８】
該給電モジュールが、下記の組合せの中の電池および交流電源の何れかに外接できることを特徴とする、請求項1に記載の入口監視装置。
【請求項９】
入口監視装置は、一つの機体, 一つのモジュール・パネル, 一つの撮像モジュール, 一つの表示モジュール, 一つの駆動モジュール, 一つのマイクロプロセッサー, 一つの一時メモリ・モジュール, 一つのメモリカード・モジュール, 一つの入出力モジュール,一つの給電モジュール, 一つの蓋板，一つの片体と一つの熱感応信号受信モジュールを含み、機体が一つの第1の殻体と一つの第2の殻体とを組み合わせてなる一つの殻体部を有し、その中でも、該第1の殻体の上に制御インターフェイスを一つ設け、該第2の殻体の上に複数個の容置空間,一つの組合せ部と一つの殻体スルーホールを設けてなり、モジュール・パネルが該殻体部の内に設置され、且つ映像を撮像するために用いられる一つの撮像モジュールを有し、表示モジュールが該撮像モジュールにより撮像された映像と操作インターフェイス・メニューを表示でき、駆動モジュールが該撮像モジュールと該表示モジュールに接続され、外部信号を一つ受信することにより、ひいては撮像モジュールと表示モジュールを駆動して開放でき、マイクロプロセッサーが各モジュールから伝送されたコマンドをコンパイル又は処理するために用いられ、且つ該撮像モジュールに接続され、一時メモリ・モジュールが該マイクロプロセッサーに接続され、且つ撮像モジュールにより撮像された映像を一時的に格納でき、メモリカード・モジュールが一つのメモリカードを外接でき、且つマイクロプロセッサーに接続され、更にマイクロプロセッサーの作用により、該一時メモリ・モジュールの内におけるデータを該メモリカードに永遠に格納し、入出力モジュールがマイクロプロセッサーに接続され、該表示モジュールを作用するかどうかを制御でき、給電モジュールが第2の殻体の該複数個の容置空間における一つの容置空間内に設置され、且つモジュール・パネルに接続され、蓋板が第2の殻体と第1の殻体とを組み合わせる相対側に組み合わせられ、且つ組合せスルーホールを一つ有し、片体が片体スルーホールを一つ有し、且つ該組合せスルーホーから該第2の殻体の上に設けられた該組合せ部と互いに組み合わせて接続でき、また該撮像モジュールのシーンが該殻体スルーホール,該組合せスルーホールと該片体スルーホールにて、外向きに延伸することにより、映像を有効に撮像でき、更に熱感応信号受信モジュールが該第2の殻体の該容置空間内に設置され、且つ駆動モジュールに接続され、また無線伝送ユニットを一つ有し、信号の伝送と看做してもよく、該熱感応信号受信モジュールが信号を一つ送信して駆動モジュールを作用してもよいことを特徴とする、入口監視装置。
【請求項１０】
該片体が一つの壁面のスルーホールの上に固定でき、更に該機体が壁面の他側から該組合せ部により、組み合わせられることを特徴とする、請求項9に記載の入口監視装置。
【請求項１１】
該モジュール・パネルが一つのタイマー・モジュールを更に有することにより、該表示モジュールが作用し且つ無人操作で一定の時間になると、表示モジュールを自動的に閉鎖できることを特徴とする、請求項9に記載の入口監視装置。
【請求項１２】
該モジュール・パネルが、一つの音声モジュールを更に有し、録音および音声再生の機能を有することを特徴とする、請求項9に記載の入口監視装置。
【請求項１３】
該表示モジュールが、該制御インターフェイスと結合してタッチコントロール式表示インターフェイスとなることを特徴とする、請求項9に記載の入口監視装置。
【請求項１４】
該メモリカードが、下記の組合せ：SMCメモリカード，CFメモリカード，xDメモリカード，MMCメモリカード，RS-MMCメモリカード，SDメモリカード，MSメモリカード，MS Duoメモリカード，Mini SDメモリカードとMicro SDメモリカードの何れかであってもよいことを特徴とする、請求項9に記載の入口監視装置。
【請求項１５】
該給電モジュールが、下記の組合せの中の電池および交流電源の何れかに外接できることを特徴とする、請求項9に記載の入口監視装置。
【請求項１６】
一つの熱感応モジュールを更に有し、該熱感応モジュールが、ある温度範囲内の物体を検出できる熱感応ユニットと，該熱感応ユニットに接続されることにより該熱感応モジュールの上の各ユニットの伝送するコマンドを処理するマイクロプロセッサー・ユニットと，該マイクロプロセッサー・ユニットに接続され且つ該熱感応信号受信モジュールの無線伝送ユニットとの信号の伝送を行っても良い無線伝送ユニットと，該熱感応モジュールに電力を提供する給電ユニットとを、含むことを特徴とする、請求項9に記載の入口監視装置。
【請求項１７】
該熱感応ユニットの検出できる温度範囲が、人体または動物の正常な体温であってもよいことを特徴とする、請求項16に記載の入口監視装置。
【請求項１８】
該無線伝送ユニットの伝送方法が、下記の組合せの中の2.4G伝送，Zigbee伝送，WiMAX伝送とWiFi伝送の何れかであってもよいことを特徴とする、請求項16に記載の入口監視装置。
【考案の詳細な説明】
【技術分野】
【０００１】
本考案は、入口監視装置に関するもので、特に外部振動を検出し或いは外部温度を検出することにより起動できる入口監視装置を、指す。
【背景技術】
【０００２】
伝統的な扉板の設計の上では、一般な家用の住宅，マンション又は一般なビルの扉板の上に何れもドアアイを設置することにも拘らず、来客が訪問すれば、呼び鈴を鳴らし或いは来客がドアを叩く時に、屋内の人員が予めドアアイを介して来客の身分をチェックしてもよく、更にドアを開けるかどうかを決定するように作用するが、然しながら伝統的なドアアイの視野角に限りがあり、目はドアアイに近づく必要があったら、チェックを行ってもよいが、従って使用上では非常に不便となる。
【０００３】
これに基づき、デジタル・ドアアイ装置の設計により、伝統的なドアアイの使用上の不便を解決し、ユーザーがデジタル・ドアアイ装置の光学シーンにより、デジタル・ドアアイ装置のスクリーン画面から、外来の来客の身分または扉外の状況を観覧できるが、但し従来の技術の使用するデジタル・ドアアイ装置は、依然としてユーザーの操作によりスクリーンを起動して表示できる必要があり、屋内が無人で又は屋内の人が来客のドアを叩く音を聞こえない時に、外部の状況を知ることが出来ず、従って家主は、重要な事情を逃がす恐れがあり、甚だしきに至っては、不幸にも泥棒が開錠して入室しようと意図するように直面したら、更なる大きな財物の損失を招き、これが周知のデジタル・ドアアイ装置の使用時に存在する問題となる。
【０００４】
これに鑑み、本考案の考案者は、周知のデジタル・ドアアイ装置の使用時に生成する問題を解決するために、多年の研究の累積経験に基づき、且つ自身のアイデアおよび連続的な試みを組み合わせる下では、ひいては前記の従来技術中に言及する欠陥を有効に改善できる入口監視装置を、研究・開発する。
【考案の概要】
【考案が解決しようとする課題】
【０００５】
本考案の第1の目的は、入口監視装置を提供するものであり、入口監視装置の上に一つの振動検出モジュールを増設し、該振動検出モジュールが、外力による扉板の震動または呼び鈴の鳴らしにより、入口監視装置を起動して映像または音声のピックアップ作業を行ってもよく、該入口監視装置は、一つの機体,一つのモジュール・パネル，一つの振動検出モジュール，一つの給電モジュール, 一つの蓋板と一つの片体を含んでなり、機体が一つの第1の殻体と一つの第2の殻体とを組み合わせてなる一つの殻体部を有し、その中でも、該第1の殻体の上に制御インターフェイスを一つ設け、該第2の殻体の上に複数個の容置空間,一つの組合せ部と一つの殻体スルーホールを設けてなり、モジュール・パネルが該殻体部の内に設置され、且つ一つの撮像モジュール, 一つの表示モジュール, 一つの駆動モジュール, 一つのマイクロプロセッサー, 一つの一時メモリ・モジュール, 一つのメモリカード・モジュールと一つの入出力モジュールを有し、撮像モジュールが映像を撮像するために用いられ、表示モジュールが該撮像モジュールにより撮像された映像と操作インターフェイス・メニューを表示でき、駆動モジュールが撮像モジュールと該表示モジュールに接続され、外部信号を一つ受信することにより、ひいては撮像モジュールと表示モジュールを駆動して開放でき、マイクロプロセッサーが各モジュールから伝送されたコマンドをコンパイル又は処理するために用いられ、且つ該撮像モジュールに接続され、一時メモリ・モジュールが該マイクロプロセッサーに接続され、且つ撮像モジュールにより撮像された映像を一時的に格納でき、メモリカード・モジュールが一つのメモリカードを外接でき、且つ該マイクロプロセッサーに接続され、更に該マイクロプロセッサーの作用により、該一時メモリ・モジュールの内におけるデータを該メモリカードに永遠に格納し、入出力モジュールがマイクロプロセッサーに接続され、該表示モジュールを作用するかどうかを制御でき、振動検出モジュールが第2の殻体の該複数個の容置空間における一つの容置空間内に設置され、且つ駆動モジュールに接続され、その中でも、該振動検出モジュールが一定強度の振動を検出する時に、駆動モジュールを作用させ、給電モジュールが第2の殻体の該複数個の容置空間における一つの容置空間内に設置され、且つモジュール・パネルに接続され、蓋板が第2の殻体と第1の殻体とを組み合わせる相対側に組み合わせられ、且つ組合せスルーホールを一つ有し、更に片体が片体スルーホールを一つ有し、且つ該組合せスルーホーから該第2の殻体の上に設けられた組合せ部と互いに組み合わせて接続できる。
【０００６】
本考案の第2の目的は、入口監視装置を提供するものであり、主として入口監視装置の上に一つの熱感応モジュールと一つの熱感応信号受信モジュールを増設し、該熱感応モジュールが、ある温度範囲（例えば体温）の物体のみを検出でき、温度範囲内の物体を感応し且つ信号を該熱感応信号受信モジュールへ送信すると、ひいては入口監視装置を起動して映像または音声のピックアップ作業を行い、或いはユーザーが遠隔操作を行い、該入口監視装置は、一つの機体,一つのモジュール・パネル，一つの給電モジュール, 一つの蓋板，一つの片体と一つの熱感応信号受信モジュールを含んでなり、機体が一つの第1の殻体と一つの第2の殻体とを組み合わせてなる一つの殻体部を有し、その中でも、該第1の殻体の上に制御インターフェイスを一つ設け、該第2の殻体の上に複数個の容置空間,一つの組合せ部と一つの殻体スルーホールを設けてなり、モジュール・パネルが該殻体部の内に設置され、且つ一つの撮像モジュール, 一つの表示モジュール, 一つの駆動モジュール, 一つのマイクロプロセッサー, 一つの一時メモリ・モジュール, 一つのメモリカード・モジュールと一つの入出力モジュールを有し、撮像モジュールが映像を撮像するために用いられ、表示モジュールが該撮像モジュールにより撮像された映像と操作インターフェイス・メニューを表示でき、駆動モジュールが撮像モジュールと該表示モジュールに接続され、外部信号を一つ受信することにより、ひいては撮像モジュールと表示モジュールを駆動して開放でき、マイクロプロセッサーが各モジュールから伝送されたコマンドをコンパイル又は処理するために用いられ、且つ該撮像モジュールに接続され、一時メモリ・モジュールが該マイクロプロセッサーに接続され、且つ撮像モジュールにより撮像された映像を一時的に格納でき、メモリカード・モジュールが一つのメモリカードを外接でき、且つ該マイクロプロセッサーに接続され、更にマイクロプロセッサーの作用により、該一時メモリ・モジュールの内におけるデータを該メモリカードに永遠に格納し、入出力モジュールがマイクロプロセッサーに接続され、該表示モジュールを作用するかどうかを制御でき、給電モジュールが第2の殻体の該複数個の容置空間における一つの容置空間内に設置され、且つモジュール・パネルに接続され、蓋板が第2の殻体と第1の殻体とを組み合わせる相対側に組み合わせられ、且つ組合せスルーホールを一つ有し、片体が片体スルーホールを一つ有し、且つ該組合せスルーホーから該第2の殻体の上に設けられた組合せ部と互いに組み合わせて接続でき、更に熱感応信号受信モジュールが該第2の殻体の該複数個の容置空間における一つの容置空間内に設置され、且つ駆動モジュールに接続され、また無線伝送ユニットを一つ有し、該熱感応モジュールの該ラジオ感応ユニットとの信号伝送を行ってもよい。
【図面の簡単な説明】
【０００７】
【図１】図１は本考案の入口監視装置の正面斜視図である。
【図２】図２は本考案の入口監視装置の背面斜視図である。
【図３】図３は図2に掲示する入口監視装置の斜視分解図である。
【図４】図４は本考案の入口監視装置の機体斜視分解図である。
【図５】図５は本考案の入口監視装置の第1のより好ましい実施例のモジュール・パネルの模式図である。
【図６】図６は本考案の入口監視装置の第2のより好ましい実施例のモジュール・パネルの模式図である。
【考案を実施するための形態】
【０００８】
本考案の提出する入口監視装置を更にはっきりと陳述できるために、以下に図面に対応し、本考案に対して詳細な説明を行い、本考案は、合計で二つの実施例を掲示し、その差異がモジュール・パネルの有するモジュール機能であるが、従って以下に先ず本考案の外部構造接続方式に対して説明を行い、更に二つの実施例の異なる箇所に対してより陳述する。
【０００９】
先ず本考案の入口監視装置の主要な構造を説明するが、図1及び図2がそれぞれ本考案の入口監視装置の正面斜視図および背面斜視図で、図3が図2に掲示する構造の斜視分解図で、図4が一部分の部材を省略した後の斜視分解図で、例えば図1〜図4に示すように、本考案の入口監視装置が、一つの機体1，一つの蓋板12，一つの片体13と一つのモジュール・パネル14を含んでなり、機体1が一つの第1の殻体111と一つの第2の殻体112とを組み合わせてなる一つの殻体部11を有し、その中でも、該第1の殻体の上に制御インターフェイス113を一つ設け、該第2の殻体112の上に少なくとも一つの容置空間114,一つの組合せ部115と一つの殻体スルーホール116を設けてなり、蓋板12が第2の殻体112と第1の殻体111とを組み合わせる相対側に組み合わせられ、且つ組合せスルーホール121を一つ有し、片体13が片体スルーホール131を一つ有し、且つ該組合せスルーホー121から該第2の殻体112の上に設けられた組合せ部115と互いに組み合わせて接続でき、モジュール・パネル14が該機体1の殻体部11の内部に設置される。その中でも、該片体13が一つの扉板のスルーホールの上に固定でき、更に扉板の他側から組合せ部115にて機体1を組み合わせることにより、機体1を扉板の上に固定できる。
【００１０】
以上が本考案の外部構造の接続方式に対し、既にはっきりと陳述するが、続いて本考案の第1のより好ましい実施例に対して詳細に説明し、図5を継続的に参照し、これが本考案の入口監視装置の第1のより好ましい実施例のモジュール・パネルの模式図で、前記のモジュール・パネル14が、一つの撮像モジュール141, 一つの表示モジュール142, 一つの駆動モジュール143, 一つのマイクロプロセッサー144, 一つの一時メモリ・モジュール145, 一つのメモリカード・モジュール146, 一つの入出力モジュール147,一つのタイマー・モジュール148と一つの音声モジュール149を含み、撮像モジュール141が映像を撮像するために用いられ、撮像モジュール141のシーンが該殻体スルーホール116,組合せスルーホール121と該片体スルーホール131にて、外向きに延伸することにより、扉板外の映像を撮像でき、且つ設定により自動または手動で動態や静態の映像を撮像でき、表示モジュール142が該撮像モジュール141により撮像された映像と操作インターフェイス・メニューを表示でき、その中でも、更に該表示モジュール142が該制御インターフェイス113と整合してタッチ・スクリーンとなってもよく、駆動モジュール143が撮像モジュール141と該表示モジュール142に接続され、外部信号を一つ受信することにより、ひいては撮像モジュール141と表示モジュール142を駆動して開放でき、マイクロプロセッサー144が各モジュールから伝送されたコマンドをコンパイル又は処理するために用いられ、且つ該撮像モジュール141に接続され、一時メモリ・モジュール145が該マイクロプロセッサー144に接続され、該撮像モジュール141が映像を撮像した後に、マイクロプロセッサー144の作用により、該映像を一般読取可能なデータに変換して該一時メモリ・モジュール145に一時的に格納でき、メモリカード・モジュール146が一つのメモリカード1461を外接でき、且つ該マイクロプロセッサー144に接続され、ユーザーが該制御インターフェイス113を操作し或いは自動に設定することにより、マイクロプロセッサー144の作用を駆動し、該一時メモリ・モジュール145の内におけるデータを該メモリカード1461に永遠に格納でき、その中でも、該メモリカード1461が、SMCメモリカード，CFメモリカード，xDメモリカード，MMCメモリカード，RS-MMCメモリカード，SDメモリカード，MSメモリカード，MS Duoメモリカード，Mini SDメモリカード又はMicro SDメモリカードの何れかであってもよく、入出力モジュール147が該マイクロプロセッサー144に接続され、該表示モジュール142を作用するかどうかを制御でき、且つ該制御インターフェイス113により操作・制御でき、タイマー・モジュール148が該マイクロプロセッサー144に接続され、該表示モジュール142が開放する時に、該タイマー・モジュール148が作用し、一定の時間内にユーザーが該制御インターフェイス113を操作しなければ、該タイマー・モジュール148が該表示モジュール142を閉鎖でき、音声モジュール149もマイクロプロセッサー144に接続され、且つ来客の伝言を録音し且つユーザーの前もっての制作を再生する機能を有し、同様にユーザーが該制御インターフェイス113により録音および音声再生の機能を操作できる。
【００１１】
一つの振動検出モジュール15が第2の殻体112の該容置空間114内に設置され、且つ該駆動モジュール143に接続され、その中でも、該振動検出モジュール15が一定強度の振動を検出する時に（例えばドアの叩き又は呼び鈴或いはより敏感になるように決めてもよい震動などが、ユーザーにより自ら定義できる）、該駆動モジュール143を作用させ、該撮像モジュール141を開放することにより、映像を撮像し、且つ該表示モジュール142が画面を開放・表示でき、一つの給電モジュール16が該モジュール・パネル14に接続することにより、電力を提供し、その中でも、該給電モジュール16が一つの交流電源または一つの電池であってもよい。
【００１２】
前記表示モジュール142の表示する画面も、ひいては有線または無線の伝送方式により、画面を、遠端の他のディスプレーを有する電子装置の上へ伝送でき、該電子装置が、携帯電話，ノートパソコン，タブレットPC，デジタル・フォトフレーム，モニターのスクリーン等であってもよいが、或いはネットワーク伝送または各種な無線通信伝送方式を介し、画面をファイル又は電子メール等の型式にて伝送し且つ他の遠端レシーバーの上に保存する。
【００１３】
続いて図6を参照し、これが本考案の入口監視装置の第2のより好ましい実施例のモジュール・パネルの模式図で、その中でも、該第1のより好ましい実施例のモジュール・パネル14とは異なる箇所が、熱感応モジュール17を一つ新設すること及び振動検出モジュール15を熱感応信号受信モジュール18に交替することである。以下に熱感応モジュール17及び熱感応信号受信モジュール18の構造と作用方式について陳述するが、図に示すように、該熱感応モジュール17が、ある温度範囲内の物体を検出できる熱感応ユニット171と，該熱感応ユニット171に接続されることにより該熱感応モジュール17の上の各ユニットの伝送するコマンドを処理するマイクロプロセッサー・ユニット172と，該マイクロプロセッサー・ユニット172に接続される無線伝送ユニット173と，熱感応モジュール17に電力を提供する給電ユニット174とを、有する。その中でも、ある物体が該熱感応ユニット171の感応区へ入り込む時に、熱感応ユニット171が該物体の温度により判断を行ってもよく、物体が正常な体温を有する人体または動物であれば、該熱感応ユニット171が信号を該マイクロプロセッサー・ユニット172へ送信でき、更に該マイクロプロセッサー・ユニット172により、信号を該無線伝送ユニット173へ送信するが、該熱感応信号受信モジュール18が該第2の殻体112の該容置空間114内に設置され、且つ駆動モジュール143に接続され、また無線伝送ユニット181を一つ有し、該熱感応モジュール17の該無線伝送ユニット173との信号の伝送を行ってもよく、その無線伝送方式が、下記の組合せの2.4G伝送，Zigbee伝送，WiMAX伝送またはWiFi伝送などの合法・商用ウエーブバンドの何れかであってもよいが、該熱感応ユニット171の信号が該無線伝送ユニット173により該無線伝送ユニット181へ伝送された時に、該熱感応信号受信モジュール18が駆動モジュール143を起動して撮像モジュール141を起動・開放することにより、映像をピックアップしてもよく、且つ表示モジュール142が画面を起動・開放して表示でき、映像をピックアップした後の後続動作が、第1の実施例中の陳述の通りである。その他に該熱感応ユニット171の信号も、ユーザーの随所に使用できる外部の電子装置へ伝送でき、ある人員が熱感応ユニット171の検出区へ入り込むことを、ユーザーに告知する。
【００１４】
前記表示モジュール142の表示する画面も、ひいては有線または無線の伝送方式により、画面を、遠端の他のディスプレーを有する電子装置の上へ伝送でき、該電子装置が、携帯電話，ノートパソコン，タブレットPC，デジタル・フォトフレーム，モニター・スクリーン等であってもよいが、或いはネットワーク伝送または各種な無線通信伝送方式を介し、画面をファイル又は電子メール等の型式にて伝送し且つ他の遠端レシーバーの上に保存する。
【００１５】
前記のように、既に本考案に対して相当に完備の掲示を行い、以上の陳述を総合することにより、本考案が下記の利点を有することを、了解できる。
【００１６】
1.該振動検出モジュールが扉板の振動または呼び鈴を検出でき、ひいては自動または手動で来客の映像をピックアップし、来客の到来を知ることが出来るだけではなく、更に泥棒がドアを開けて入室しようと意図することを予防できる。
【００１７】
2.以上のように、該熱感応モジュールが人体または動物の正常な体温を有する物体のみに対し、検出を行ってもよく、同時に自動または手動で来客の映像をピックアップしてもよい。
【００１８】
然しながら、前記の詳細な説明は、本考案に対して実行可能な実施例の具体的な説明で、但し該実施例が本考案の特許請求の範囲を限定するために用いられるものではなく、例えば本考案の技術精神をまだ逸脱しない下で完成された等価な実施または変更が、何れも本考案の特許請求の範囲中に含まれるべきである。
【符号の説明】
【００１９】
1  機体
11  殻体部  
12  蓋板
13  片体
14  モジュール・パネル
15  振動検出モジュール
16  給電モジュール
17  熱感応モジュール
18  熱感応信号受信モジュール
111  第1の殻体
112  第2の殻体
113  制御インターフェイス
114  容置空間
115  組合せ部
116  殻体スルーホール
121  組合せスルーホール
131  片体スルーホール
141  撮像モジュール
142  表示モジュール
143  駆動モジュール
144  マイクロプロセッサー
145  一時メモリ・モジュール
146  メモリカード・モジュール
147  入出力モジュール
148  タイマー・モジュール
149  音声モジュール
171  熱感応ユニット
172  マイクロプロセッサー・ユニット
173  無線伝送ユニット
174  給電ユニット
181  無線伝送ユニット
1461  メモリカード
【図１】
0003173008.tif 000003
【図２】
0003173008.tif 000004
【図３】
0003173008.tif 000005
【図４】
0003173008.tif 000006
【図５】
0003173008.tif 000007
【図６】
0003173008.tif 000008